(57)【要約】【課題】使い捨て処置具の再使用をより確実に防止するディスポーザブル処置具管理システムを提供する。【解決手段】内視鏡のスコープ１１をプロセッサ装置１２に装着するコネクタ部１９にＩＣタグリーダ２８を設ける。鉗子チャネル２５に装着されるディスポーザブル処置具２６の操作部２６ＢにＩＣタグ２７を埋設する。ＩＣタグ２７に使用済みフラグを設ける。出荷時に使用済みフラグを未使用とする。処置具２６を使用する前に操作部２６ＢをＩＣタグリーダ２８にかざし、ＩＣタグ２７の使用済みフラッグの内容をＩＣタグリーダ２８で読み取る。処置具２６の使用後に、操作部２６ＢをＩＣタグ書込み装置２９にかざし、使用済みフラグを立てる。ＩＣタグリーダ２８において使用済みフラグを検出したとき、警告音および警告表示を行う。【選択図】図１
2013255698.tif 000002
【特許請求の範囲】
【請求項１】
ＩＣタグを備えるディスポーザブル処置具と、
前記ＩＣタグの内容を非接触で読み出し可能な読出し装置を備える内視鏡装置とを備え、
前記ＩＣタグが、前記ディスポーザブル処置具が使用済みであることを示すフラグを備え、前記読出し装置は、前記フラグの内容を読み出す
ことを特徴とするディスポーザブル処置具管理システム。
【請求項２】
前記ＩＣタグへの書き込みが可能な書込み装置を更に備え、前記書込み装置は前記フラグを使用済みに書き換えることを特徴とする請求項１に記載のディスポーザブル処置具管理システム。
【請求項３】
前記内視鏡装置が警告手段を備え、前記読出し装置により読み出されたフラグが使用済みであることを示すとき、警告を発することを特徴とする請求項１または請求項２の何れか一項に記載のディスポーザブル処置具管理システム。
【請求項４】
前記読出し装置が、スコープのプロセッサ装置へのコネクタ部に設けられることを特徴とする請求項１に記載のディスポーザブル処置具管理システム。
【請求項５】
前記読出し装置が、スコープの処置具挿入口近傍に設けられることを特徴とする請求項１に記載のディスポーザブル処置具管理システム。
【請求項６】
前記ＩＣタグが前記ディスポーザブル処置具の先端部に設けられることを特徴とする請求項５に記載のディスポーザブル処置具管理システム。
【請求項７】
前記ＩＣタグが前記ディスポーザブル処置具の操作部に設けられることを特徴とする請求項４または請求項５に記載のディスポーザブル処置具管理システム。
【請求項８】
請求項１に記載のディスポーザブル処置具管理システムを備えることを特徴とする内視鏡システム。
【発明の詳細な説明】
【技術分野】
【０００１】
本発明は、内視鏡において使用される処置具に関し、特にディスポーザブル処置具の利用を管理するシステムに関する。
【背景技術】
【０００２】
内視鏡では、様々な種類の処置具が様々な用途で数多く利用されるためその管理も煩雑なものとなる。例えば、在庫管理のために処置具の使用回数を管理する必要もあり、処置具と内視鏡装置との間で光通信を用いてデータを遣り取りすることで、処置具の使用回数をカウントする内視鏡システムも提案されている（特許文献１参照）。
【先行技術文献】
【特許文献】
【０００３】
【特許文献１】特開２００２−２４８０７４号公報
【発明の概要】
【発明が解決しようとする課題】
【０００４】
一方、使い捨ての処置具の利用においては、使用済みの処置具が誤って再使用されないように管理する必要があるが、現在このような管理は現場の人間の状況判断によって行われており、より確実な再使用防止策が必要とされている。
【０００５】
本発明は、使い捨て処置具の再使用をより確実に防止するディスポーザブル処置具管理システムを提供することを課題としている。
【課題を解決するための手段】
【０００６】
本発明のディスポーザブル処置具管理システムは、ＩＣタグを備えるディスポーザブル処置具と、ＩＣタグの内容を非接触で読み出し可能な読出し装置を備える内視鏡装置とを備え、ＩＣタグが、ディスポーザブル処置具が使用済みであることを示すフラグを備え、読出し装置が、フラグの内容を読み出すことを特徴としている。
【０００７】
ディスポーザブル処置具管理システムは、ＩＣタグへの書き込みが可能な書込み装置を更に備え、書込み装置はフラグを使用済みに書き換える。内視鏡装置は更に警告手段を備え、読出し装置により読み出されたフラグが使用済みであることを示すとき、警告を発することが好ましい。
【０００８】
読出し装置は、例えばスコープをプロセッサ装置へ接続するコネクタ部に設けられる。読出し装置は、スコープの処置具挿入口近傍に設けられてもよく、ＩＣタグはディスポーザブル処置具の先端部に設けられてもよい。またＩＣタグはディスポーザブル処置具の操作部に設けられてもよい。
【０００９】
本発明の内視鏡システムは、上記ディスポーザブル処置具管理システムを備えたことを特徴としている。
【発明の効果】
【００１０】
本発明によれば、使い捨て処置具の再使用をより確実に防止するディスポーザブル処置具管理システムを提供することができる。
【図面の簡単な説明】
【００１１】
【図１】本発明の一実施形態であるディスポーザブル処置具管理システムが適用された内視鏡システムの構成を示すブロック図である。
【図２】本実施形態における使用済みフラグ確認処理のフローチャートである。
【図３】モニタへ出力される警告表示の一例である。
【図４】ＩＣタグ書込み装置における書き込み処理のフローチャートである。
【発明を実施するための形態】
【００１２】
以下、本発明の実施の形態を、図面を参照して説明する。図１は、本発明の一実施形態であるディスポーザブル処置具管理システムを適用した内視鏡システムの構成を示すブロック図である。
【００１３】
本実施形態において、内視鏡システム１０は、電子内視鏡システムであり、スコープ１１とプロセッサ装置１２とからなる内視鏡装置と、プロセッサ装置１２に接続されるモニタ１３を備える。スコープ１１は、可撓管からなる挿入部１４と、操作ノブ１５や鉗子口（処置具挿入口）１６が設けられた操作部１７、操作部１７とプロセッサ装置１２との間を連絡するユニバーサルコード１８、ユニバーサルコード１８をプロセッサ装置１２に着脱自在に装着するためのコネクタ部１９から主に構成される。
【００１４】
プロセッサ装置１２内には、例えば光源部２０が設けられる。スコープ１１に配設されたライトガイド２１は、コネクタ部１９を介して光源部２０に接続される。光源部２０からの光はライトガイド２１を介して挿入部１４の先端まで伝送され照明光として照射される。挿入部１４の先端には撮像素子（図示せず）が設けられ、レンズ２２を通して内視鏡画像の撮影が行われる。撮像素子からの映像信号はコネクタ部１９を介してプロセッサ装置１２の映像処理部２３へと送られ、所定の画像処理が施された後、例えばモニタ１３などの外部装置へと出力される。なお、プロセッサ装置１２における各種処理はコントローラ２４によって制御される。
【００１５】
スコープ１１には、鉗子口１６から挿入部１４の先端に至る鉗子チャンネル（処置具挿入チャンネル）２５が設けられる。鉗子口１６には、鉗子を含めた様々な種類の処置具２６が挿入され、処置具２６の先端２６Ａは鉗子チャネル２５を通して挿入部１４の先端から延出される。また処置具２６の基端側には操作部２６Ｂが設けられ、操作部２６Ｂを操作することにより、処置具２６の先端が操作される。
【００１６】
内視鏡システム１０ではディスポーザブル処置具以外も利用されるが、本実施形態のディスポーザブル処置具管理システムで対象とされるのは、ディスポーザブル処置具のみであるので、以下においては処置具２６がディスポーザブル処置具の場合について説明する。
【００１７】
本実施形態において、ディスポーザブル処置具２６には、例えばその操作部２６ＢにはＩＣタグ２７（例えばパッシブなＩＣタグ）が埋設されるとともに、スコープ１１のコネクタ部１９には、ＩＣタグリーダ（読取り装置）２８が実装され、例えばＲＦＩＤ(Radio Frequency Identification)システムが利用される。ＩＣタグ２７には、処置具２６が使用済みであるか否かを示すフラッグが設けられ、フラグの内容は操作部２６Ｂをコネクタ部１９に近づけるとＩＣタグリーダ２８により非接触で読み取られる。
【００１８】
ＩＣタグリーダ２８により読み取られた使用済みフラグの内容は、例えばプロセッサ装置１２のコントローラ２４に送られる。コントローラ２４では、フラグの内容から当該ディスポーザブル処置具２６が使用済みであるか否かが判断され、使用済みと判断される場合には後述するように警告処理が実行される。
【００１９】
一方本実施形態において、ＩＣタグ２７のフラグの内容は、例えば内視鏡装置とは別に設けられたＩＣタグ書込み装置（ＩＣタグライタ）２９によって書き換えられる。すなわち、ディスポーザブル処置具２６の使用後、ユーザが操作部２６ＢをＩＣタグ書込み装置２９にかざすことでＩＣタグ２７の使用済みフラグの内容が書き換えられる。ＩＣタグ２７の使用済みフラグは、出荷時に未使用に設定（Ｆａｌｓｅ）され、ＩＣタグ書込み装置２９にかざすことで使用済みとするフラグが立てられる（Ｔｒｕｅ）。
【００２０】
次に図１に加え図２のフローチャートを参照して、本実施形態における使用済みフラグ確認処理について説明する。
【００２１】
例えばコネクタ部１９およびモニタ１３がプロセッサ装置１２に装着された状態で、プロセッサ装置１２の電源がオンされると、本実施形態の使用済みフラグ確認処理がコントローラ２４を中心として実行される。ステップＳ１００では、プロセッサ装置１２、コネクタ部１９を含む内部回路の初期化が行われ、ステップＳ１０２において、映像信号のモニタ１３へ出力が開始される。
【００２２】
ステップＳ１０４では、プロセッサ装置１２のランプスイッチ（図示せず）がオンされたか否か判定され、オンされるまでこの判定が繰り返される。ランプスイッチがオンされるとステップＳ１０６において光源部２０のランプが点灯され、ステップＳ１０８においてＩＣタグ２７が検知されたか否かが判定される。
【００２３】
ステップＳ１０８においてＩＣタグ２７が検知されていないと判定された場合には、ステップＳ１２０においてランプスイッチがオフされたか否かが判定され、オフされていない場合にはステップＳ１０８に戻り同様の判定が繰り返される。またステップＳ１２０においてランプスイッチがオフされたと判定されると、ステップＳ１２２において光源部２０のランプが消灯され、処理はステップＳ１０４へと戻る。
【００２４】
一方、処置具２６の操作部２６ＢがＩＣタグリーダ２８に近づけられ、ステップＳ１０８においてＩＣタグ２７が検知されると、ステップＳ１２４においてＩＣタグリーダ（ＲＦＩＤリーダ）２８によりＩＣタグ２７のデータが非接触で読み取られ、ステップＳ１２６において使用済みフラッグが立てられているか否か（使用済みか否か）が判定される。使用済みフラグが立てられていない場合（Ｆａｌｓｅの場合）、ステップＳ１２０に戻り同様の処理が繰り返される。一方使用済みフラグが立てられている場合（Ｔｒｕｅの場合）、ステップＳ１２８において、スコープコネクタ部１９のＩＣタグリーダ２８からプロセッサ装置１２のコントローラ２４へエラーコードが送られる。
【００２５】
コントローラ２４は、エラーコードを受信するとステップＳ１３０においてスピーカ３０から警告音を発生させるとともに、ステップＳ１３２においてモニタ１３への警告表示を行い処理はステップＳ１２０へと戻る。なお本処理は、例えばプロセッサ装置１２の電源がオフされるまで繰り返し実行される。
【００２６】
図３は、警告表示が行われたモニタ表示の一例を示すもので、例えば患者情報とともに、画面Ｓの例えば右下領域に使用済みであることを示すメッセージＭ：“Ｕｓｅｄ  ｐｒｏｄｕｃｔ”が表示される。すなわち、使用済みフラグが立てられているディスポーザブル処置具２６の操作部２６Ｂがコネクタ部１９に近づけられると、警告音と警告表示がなされ、ユーザにそのディスポーザブル処置具２６が使用済みであり使用しないように警告する。なおメッセージは目立つ形で表示されることが好ましく、例えば赤色などの警告色を用いてもよく、点滅させてもよい。
【００２７】
図４は、ＩＣタグ書込み装置２９の書込み処理を説明するためのフローチャートである。以下図１、４を参照してＩＣタグ書込み装置２９における書込み処理について説明する。
【００２８】
ＩＣタグ書込み装置２９の電源がオンされるとステップＳ２００において、ＩＣタグ２７が検出されたか否かが判定される。検出されていない場合には、処置具２６の操作部２６ＢがＩＣタグ書込み装置２９に近づけられ、ＩＣタグ２７が検出されるまで同処理が繰り返される。ＩＣタグ２７が所定距離以内に近づけられＩＣタグ２７が検出されると、ステップＳ２０２において、ＩＣタグ２７から使用済みフラグの読み取りが実行される。
【００２９】
ステップＳ２０４では、使用済みフラグの内容に基づいて、処置具２６が未使用か否かが判断される。すなわち、使用済みフラグが立てられていなければ（Ｆａｌｓｅであれば）未使用と判断され、フラグが立てられていれば（Ｔｒｕｅであれば）使用済みと判断される。使用済みであると判断される場合には、処理はステップＳ２１０へとスキップされ、未使用と判断される場合には、ステップＳ２０６において、ＩＣタグ２７の使用済みフラグの書込みスイッチがオンに設定されているか否かが判断される。
【００３０】
ステップＳ２０６において、ＩＣタグ２７の書込みスイッチがオンであると判断されるとき、処理はステップＳ２０８に進み、ＩＣタグ２７の使用済みフラグが立てられる（フラグがＴｒｕｅに書き換えられる）。そして、ステップＳ２１０において、ＩＣタグ２７が検出されなくなったか否かが判定される。なお、この判定はディスポーザブル処置具２６がＩＣタグ書込み装置２９から離接されて、ＩＣタグ２７が検知されなくなるまで繰り返され、検出されなくなるとステップＳ２００に戻り同様の処理が繰り返される。
【００３１】
一方、ステップＳ２０６において使用済み書込みスイッチがオフ状態であると判定される場合、ステップＳ２１２において操作部２６Ｂが離説され、ＩＣタグ２７が検出されなくなったか否かが判定される。ＩＣタグ２７が離接されず未だ検出されている場合にはステップＳ２０６の判定が繰り返され、離接され既に検出されない場合にはステップＳ２００以下の処理が繰り返される。なお、以上の処理はＩＣタグ書込み装置の電源が切られるまで継続される。
【００３２】
以上のように、本実施形態のディスポーザブル処置具管理システムによれば、ディスポーザブル処置具のスコープへの装着に先立ち、ユーザが処置具の操作部をコネクタ部にかざし、かつ使用後、ディスポーザブル処置具をＩＣタグ書込み装置にかざすようにすることで、誤って使用済みのディスポーザブル処置具を鉗子チャンネルへ装着してしまうことを防止できる。
【００３３】
本実施形態では、ＩＣタグを処置具２６の操作部２６Ｂに設け、ＩＣタグリーダをコネクタ部１９に設けたが、その変形例として、ＩＣタグを処置具２６の先端部２６Ａに設け、ＩＣタグリーダを鉗子口１６近傍、あるいは操作部１７に設けてもよい。この場合、処置具２６の挿入に先立ち必ずＩＣタグ２７が、ＩＣタグリーダ２８に近づけられるので、より確実に警告を発することができる。なお、変形例におけるＩＣタグリーダ２８は、ＩＣタグリーダ２８の読み取り可能範囲内に鉗子口１６が位置するように配置されることが好ましい。
【００３４】
なお、本実施形態ではＩＣタグ書込み装置を内視鏡装置とは別に設けたが、ＩＣタグ書込み装置は、例えばプロセッサ装置に組み入れることも可能である。但し、未使用の処置具が施術前に配置される場所からは十分に離される必要がある。また、本実施形態では警告音を発するとともにモニタに警告表示がなされたが、これらはどちらか一方でもよいし、モニタ上への表示ではなく警告ランプを点灯あるいは点滅させるなどの方法を用いてもよい。
【符号の説明】
【００３５】
１０  電子内視鏡システム
１１  スコープ
１２  プロセッサ装置
１３  モニタ
１４  挿入部
１６  鉗子口（処置具挿入口）
１７  操作部
１９  コネクタ部
２４  コントローラ
２５  鉗子チャンネル（処置具挿入チャンネル）
２６  ディスポーザブル処置具
２６Ａ  処置具先端部
２６Ｂ  処置具操作部
２８  ＩＣタグリーダ
２９  ＩＣタグ書込み装置
３０  スピーカ
【図１】
2013255698.tif 000003
【図２】
2013255698.tif 000004
【図３】
2013255698.tif 000005
【図４】
2013255698.tif 000006